(57)【要約】      （修正有）【課題】容器口部に中蓋を嵌入する構造の空気量測定装置では中蓋を外して土面その他に静置した場合、中蓋の下面に土や異物が付着し、そのまま再度容器に嵌入すると不都合を招いたり、また嵌入した中蓋を容器から外し難いという欠点をなくすフレッシュコンクリートの空気量測定装置の中蓋を提供する。【解決手段】試料を収納する容器１と、容器１の鍔縁２を蹴る為のレバー９及び脚片１１を有し且つ容器１の口部に嵌入するようにした中蓋３と、中蓋３の上側にあって中蓋３と容器１との密着を図る上蓋８とからなる。【選択図】図１
0003114013.tif 000002
【実用新案登録請求の範囲】
【請求項１】
試料容器と該試料容器へ空気室から圧縮空気を導入するようにした容器上蓋とからなるフレッシュコンクリートの空器量測定装置において、試料容器と上蓋との間にあって、該容器の口部に嵌入する中蓋の鍔部にレバーを枢設し、該レバーの内端部を引き上げることにより該レバーの外端部で容器鍔縁上面を押し下げ、該中蓋を試料容器から離脱させるようにしたことを特徴とするフレッシュコンクリートの空気量測定装置の中蓋。
【請求項２】
中蓋の試料容器内への嵌合部下端にプラスチック製砂止めリングを嵌入してなることを特徴とする請求項１記載のフレッシュコンクリートの空気量測定装置の中蓋。
【請求項３】
中蓋の外周３方或いは４方に脚片を突設したことを特徴とする請求項１記載のフレッシュコンクリートの空気量測定装置の中蓋。
【考案の詳細な説明】
【技術分野】
【０００１】  本考案はコンクリートの耐久性を左右するフレッシュコンクリート（生コンクリート：以下生コンと略称する）の空器量測定装置に関するものである。
【背景技術】
【０００２】  最近、高速道路やトンネルその他コンクリート建造物の脆化が問題視されており、コンクリート本来の強度維持を図るために国土交通省が耐久性指針として単位水量の許容値を示し、施工時に生コン中の単位水量測定を義務づけている。【０００３】  コンクリートの強度や耐久性はコンクリートを混練する際の水セメント比、つまり水とセメントの配合比が大きく係わっているので単位水量を測定するが、しかし単位水量は空気量によって大きく影響を受けるので、単位水量の測定のみならず空気量の簡単且つ迅速な計測方法が求められている。【０００４】  そこで、従来の単位容積質量法（空気室圧力法）を実施する装置の概要は、容器１に摺り切り（約７ｌ）まで試料を投入した後中央部に向かって緩慢な山形傾斜を有する中蓋３を嵌入し、該中蓋３と試料上面とのなす空間に注水して残留空気を追い出した後、中蓋３上に上蓋８を載置して、該上蓋８の外周に設けたフック金具１２の掛止片を容器鍔縁２に掛止して容器１と上蓋８とを水密的に緊締してから空気室１７内に貯えた圧縮空気を作動弁の操作で容器１内へ導入し、平衡圧を求める方法がある。（例えばＪＩＳ．Ａ１１２８：１９９９参照）【０００５】
【特許文献１】  特許願  平成１５年５月６日、出願人  株式会社マルイ（名称＝フレッシュコンクリートの空器量測定装置）
【特許文献２】  実用新案登録  第３０９７７９７号
【考案の開示】
【考案が解決しようとする課題】
【０００６】  しかし、従来例では、収容した生コンクリートを作業終了後に容器から排除するため上蓋を取り除き、更にその後中蓋３を外してから生コンクリートを扱う作業現場の床や土面に置くので、不本意にも中蓋の下端外周部にコンクリートその他の異物が付着して汚損し、次の作業をする場合に容器と中蓋との間にコンクリートが挟まり密閉が困難となるなど不都合を生じる。【０００７】  また、上記従来の空気量測定装置は、中蓋を容器から離脱させるための開放機構が全くないので容器に緊密に嵌入している中蓋を作業終了後に容器から引き抜くことが容易でないと言う欠点があった。【０００８】  また容器の内周特に口部内周にコンクリートが付着し中蓋を嵌入する際中蓋と容器との間にコンクリートが介在して気密性が損なわれ、更にコンクリート中に混在する砂利によって容器内周や中蓋外周に擦り傷ができ密着不良を生じ、気密性悪化に拍車をかける結果となる許かりでなく、中蓋を嵌入する際滑りが悪くスムーズな作業ができないと言う問題点があった。
【課題を解決するための手段】
【０００９】  本考案は容器と該容器へ空気室から圧縮空気を導入するようにした容器上蓋とからなるフレッシュコンクリートの空気量測定装置において、該容器の口部に嵌入する中蓋に容器を蹴り下げるレバーを設置し、該中蓋の嵌入部先端には砂止め用のリングを嵌着すると共に、中蓋の外周部に該中蓋を支持する複数個の脚片を突設してなる。
【考案の効果】
【００１０】  本考案はフレッシュコンクリート中の空器量測定を終了し、容器内のコンクリートを除去する際に上蓋を外して傍らに静置した後、更に中蓋を外して作業場等に置く場合その外周に突設した脚片によって土面その他と接触するのを防ぎ、砂利その他のゴミが中蓋に付着するのを防止して再使用する際のトラブルをなくすことができる。【００１１】  また、中蓋は容器と緊密な嵌合状態に有るから上記のようにフレッシュコンクリート中の空器量測定を終了して中蓋を取り外すには、中蓋に設置した蹴り下げレバーを操作することにより容易に容器から取り外すことができる。【００１２】  更に、容器は空器量測定の為にフレッシュコンクリートを出し入れすると容器内壁がコンクリートの付着で汚れているが、中蓋の嵌入部外周にある砂止めリングがコンクリートなどの付着物を拭い落とし乍ら容器口部に進入するから中蓋と容器との間にコンクリート等の付着物を介入させない。【００１３】  従って、容器内面及び中蓋外周に砂利等による擦り傷ができず気密状態を長期間に亘り良好に保つことができる。【００１４】  前記砂止めリングは、プラスチック製であるから金属製容器の内面に対し良く滑り微細付着物を扱き落とすのに最も適している。
【考案を実施するための最良の形態】
【００１５】  本考案フレッシュコンクリートの空器量測定装置は、フレッシュコンクリート（以下単に試料と略称）を収納する容器と、該容器の鍔縁を蹴る為のレバーを有し、且つ取り外した時に下端が土面その他と間隙を保つための脚片を突設した中蓋と、該中蓋の上側にあって中蓋と容器との密着を図る上蓋とからなる。
【実施例１】
【００１６】  以下図面に示す実施例について説明すると、図１は要部切欠側面図を示し、容器１の上端外周には鍔状の鍔縁２を形成しており、該容器１の口部に中蓋３を嵌入するが、中蓋３は中央部を上方に向かって傾斜縮小した概ね円錐台状を成し中央部を開放した形状とするもので、更にその外周には鍔縁６を巡らし、前記容器鍔縁２の上面２′に重ね合わせる。該鍔縁６の上面は前記中央開口部と同一平面に仕上げられている。【００１７】  また、該中蓋３の左右対称位置に鍔縁６の部分に切欠部６′を削設し、該切欠部６′内にレバー９を軸７により搖動自由に枢設して該レバー９の内端１４を引き上げる時外端１３が前記容器１の鍔縁２に圧接するようにしている。【００１８】  更に中蓋３の容器１と内接する部分にＯリング５を嵌着することは勿論のこと、嵌入部先端にプラスチック製の砂止めリング４を嵌着して容器１と中蓋３との緊密を図ると共に容器内面の付着物を扱き落とし、接触部にセメントその他の付着物の介入防止を図る。【００１９】  中蓋３の上面には、外周四方にフック金具１２を枢設した上蓋８を載置し、該フック金具１２により容器鍔縁２の下側に掛脱することにより上蓋８と中蓋３とを分離自由に取着しており、該中蓋３の外周四方には脚片１１、１１・・を上蓋８との接触面に対し垂直に下向突設し、中蓋３を取り外して傍らに静置した場合、中蓋３の下端部が作業場等の床面に直接触ることを防止する。尚、図中符号１６はレバー１２を枢設するための取り付け部材である。【００２０】  尚、上蓋８の上部には空気室１７を有し、該上蓋８を中蓋３上に静置して気密を保った段階でハンドル操作により空気室１７内の圧縮空気を中蓋３の中央開放部より容器１の上部空間に導入するものである。【００２１】  以上のようにして主要部は構成されるので、次に一連の機能について述べる。
容器１内に試料を投入し、レバー９を水平状態にして中蓋３を嵌入し、その上側に上蓋８を載置した後フック金具１２を容器の鍔縁２の下側にリング１０を介して掛止する事により容器１は中蓋と上蓋とによって外部から気密的に遮断される。【００２２】  次に空気室１７の加圧空気を上蓋及び中蓋の各中央部を経て試料上面に載架する事によって試料中の空器量の算出が可能となる。空器量の算出を終えれば、先ずフック金具１２を外方へ回動して上蓋８の緊締を解除して上蓋と中蓋３とを開放し、中蓋を脚片１１、１１・・によって傍らに支持静置する。【００２３】  中蓋３は、レバー９の内端１４を（図３、４参照）引き上げれば、該レバー９が回動して外端１３が容器１の鍔縁上面２′を強く蹴り下げる。従って中蓋は容器から抜け出て取り出しが極めて容易な状態となる。【００２４】  連続して上記操作を反復する場合、容器内壁には砂利やセメント等が付着していて、中蓋を嵌入する際付着物を扱き落とし容器と中蓋との間に介入するのを防止する。
【産業上の利用可能性】
【００２５】  空器量測定装置で中蓋を有するものであれば何れに適応可能である。
【図面の簡単な説明】
【００２６】
【図１】  本考案空気量測定装置の実施例を示す一部切欠側面図
【図２】  同上平面図
【図３】  図１の要部拡大縦断側面図
【図４】  同上分解動作縦断側面図
【符号の説明】
【００２７】１  容器
２  鍔縁
３  中蓋
４  砂止めリング
５  Ｏリング
６  鍔縁
６′  切欠部
７  軸
８  上蓋
９  レバー
１１  脚片
１２  フック金具
１３  外端
１４  内端
【図１】
0003114013.tif 000003
【図２】
0003114013.tif 000004
【図３】
0003114013.tif 000005
【図４】
0003114013.tif 000006